(57)【要約】      （修正有）【課題】連続的に左右にブラシ洗浄する効果を有する、異なる回転方向を持つブラシヘッドを提供する。【解決手段】ソケット１２内に収容されかつ該ソケット内に回転可能であり、一端には、メイン刷毛２１が設けられ、他端には、該ソケットに嵌合されかつ伝動軸１１と接合され、該伝動に応じて回動可能である芯軸２２が設けられたメイン回転ブラシ２０と、を備える。該ソケット内には、該メイン回転ブラシと同軸になるように、該メイン回転ブラシが穿通する貫通孔３４が設けられている環状のサブ回転ブラシ３０がさらに収容されており、該サブ回転ブラシの一端には、サブ刷毛３１が設けられ、該サブ回転ブラシの他端には、該ソケット内に嵌合された凸縁３２が設けられており、該ソケットと該メイン、サブ回転ブラシとの間には、該伝動軸の回動時に、該メイン、サブ回転ブラシの回転方向をそれぞれ異ならせる方向変換機構がさらに設けられている。【選択図】図１
0003217057.tif 000002
【実用新案登録請求の範囲】
【請求項１】
貫通した伝動軸が設けられ、一端にソケットが設けられた固定ベースと、
該ソケット内に収容されかつ該ソケット内に回転可能であり、一端には、メイン刷毛が設けられ、他端には、該ソケットに嵌合されかつ該伝動軸と接合され、該伝動に応じて回動可能である芯軸が設けられたメイン回転ブラシと、を備え、
該ソケット内には、該メイン回転ブラシと同軸になるように、該メイン回転ブラシが穿通する貫通孔が設けられている環状となるサブ回転ブラシがさらに収容されており、該サブ回転ブラシの一端には、サブ刷毛が設けられ、該サブ回転ブラシの他端には、該ソケット内に嵌合された凸縁が設けられており、該ソケットと該メイン、サブ回転ブラシとの間には、該伝動軸の回動時に、該メイン、サブ回転ブラシの回転方向をそれぞれ異ならせる方向変換機構がさらに設けられていることを特徴とする異なる回転方向を持つブラシヘッド。
【請求項２】
該方向変換機構は、該ソケット内には少なくとも１つの方向変換ギアが設けられ、該メイン回転ブラシの芯軸端にはアウターギアが設けられ、該サブ回転ブラシの凸縁にはインナーギアが設けられ、該アウター、インナーギアは該方向変換ギアと互いに噛合されることを特徴とする請求項１に記載の異なる回転方向を持つブラシヘッド。
【請求項３】
該ソケット内の相対位置には対となる２つの方向変換ギアが設けられていることを特徴とする請求項２に記載の異なる回転方向を持つブラシヘッド。 
【考案の詳細な説明】
【技術分野】
【０００１】
本考案は、洗浄用の回転ブラシヘッドに関し、特に異なる回転方向を持つメイン、サブブラシヘッドを同軸に設けるブラシヘッドに関するものである。
【背景技術】
【０００２】
従来、洗浄用のブラシヘッドとして、口腔用のもの、フロアブラシ洗浄用のものまたはキッチン用のものなどが挙げられる。このようなブラシヘッドは、単一のブラシヘッドを同一の方向へブラシ洗浄するものが多い。例えば特許第ＣＮ１９６４６４６Ｂ号として公告された中国の発明である「往復式または回転式ブラシヘッドを有する洗浄装置」では、その往復回転のブラシヘッドは、ブラシを持って往復にブラシ洗浄するように、左右揺動可能に洗浄する。しかしながら、これらの構造は、電機の回転運動を往復運動に変換する必要があり、その増設されたハブなどの素子によってコストが増加し使用寿命が限られる問題がある。さらに、特許第ＣＮ１０４８３９９９８Ｂ号として公告された中国の発明である「多機能口腔ケア用具のブラシヘッド装置」では、並列二軸対向回転のブラシヘッドが設けられており、そのブラシヘッドの構造は、単一のブラシヘッドよりも体積が大きいため、さらに改善する余地がある。
【先行技術文献】
【特許文献】
【０００３】
【特許文献１】中国特許第ＣＮ１９６４６４６Ｂ号
【特許文献２】中国特許第ＣＮ１０４８３９９９８Ｂ号
【考案の概要】
【考案が解決しようとする課題】
【０００４】
そこで、本考案は、メイン、サブ回転ブラシを同一の伝動軸に設置し、かつメイン、サブ回転ブラシの間に方向変換機構を設置することにより、メイン、サブ回転ブラシの回転方向をそれぞれ異ならせる、異なる回転方向を持つブラシヘッドを提供することを目的とする。
【課題を解決するための手段】
【０００５】
上記の目的を達成するために、本考案は、固定ベースと、メイン回転ブラシとを備える、異なる回転方向を持つブラシヘッドを提供する。固定ベースには、貫通した伝動軸が設けられ、固定ベースの一端にはソケットが設けられている。メイン回転ブラシは、ソケットに収容されかつ回動可能に設けられている。メイン回転ブラシの一端にはメイン刷毛が設けられ、他端には芯軸が設けれており、芯軸はソケット内に嵌合され、伝動軸と接合されることで、伝動軸に応じて回動可能となっている。該ソケット内には、メイン回転ブラシと同軸になるように、メイン回転ブラシが穿通する貫通孔が設けられた環状となるサブ回転ブラシがさらに収容されている。サブ回転ブラシの一端には、サブ刷毛が設けられ、他端には、ソケット内に嵌合されかつソケットと係合する凸縁が設けられている。ソケットと、メイン、サブ回転ブラシとの間には、該伝動軸の回動時に、メイン、サブ回転ブラシの回転をそれぞれ異ならせる方向変換機構がさらに設けられている。
【考案の効果】
【０００６】
本考案に係る異なる回転方向を持つブラシヘッドによれば、下記の効果を奏することができる。
１、本考案に係るブラシヘッドは、その異なる回転方向であるメイン、サブ回転ブラシがブラシ洗浄箇所に対して連続的に左右にブラシ洗浄する効果を奏することができ、洗浄効果は優れている。
２、本考案に係るブラシヘッドは、異なる回転方向を持つメイン、サブ回転ブラシを同一の伝動軸に設けれているため、その構造が簡単、組み立てが容易、及び低コストである。
【図面の簡単な説明】
【０００７】
【図１】本考案に係る異なる回転方向を持つブラシヘッドの分解立体図である。
【図２】本考案に係るブラシヘッドの組み合わせ模式図である。
【考案を実施するための形態】
【０００８】
図１は、本考案の一実施例に係る異なる回転方向を持つブラシヘッドを示す。その異なる回転方向を持つブラシヘッドは、固定ベース１０を備える。固定ベース１０には、貫通した伝動軸１１が設けられ、固定ベース１０の一端には、少なくとも１つの方向変換ギア１３を有するソケット１２が設けられている。ソケット１２内には、メイン回転ブラシ２０とサブ回転ブラシ３０とが設けられている。メイン、サブ回転ブラシ２０、３０は、ソケット１２内に係合され、かつソケット１２内に回転可能に設けられている。
【０００９】
メイン回転ブラシ２０の一端にはメイン刷毛２１が設けられ、他端には芯軸２２とアウターギア２３とが設けられており、芯軸２２はソケット１２内に嵌合され、伝動軸１１と接合されることで、伝動軸に応じて回動可能となっており、さらに、アウターギア２３は、方向変換ギア１３と互いに噛合される。
【００１０】
サブ回転ブラシ３０は、環状となり、その一端にサブ刷毛３１が設けられ、他端に凸縁３２とインナーギア３３とが設けられている。凸縁３２は、ちょうどソケット１２内に嵌合され、インナーギア３３は、方向変換ギア１３と互いに噛合される。環状のサブ回転ブラシ３０には、メイン回転ブラシ２０が穿通する貫通孔３４が設けられている。
【００１１】
図１、２を参照すると、メイン、サブ回転ブラシ２０、３０が固定ベース１０に嵌設されている場合、アウター、インナーギア２３、３３は、方向変換ギア１３と互いに噛合されることで、方向変換機構が形成される。伝動軸１１の回転時に、メイン、サブ回転ブラシ２０、３０のアウター、インナーギア２３、３３は、異なる回転方向で回転する。単一のブラシヘッド領域内としては、メイン、サブ刷毛２１、３１の位置は異なる洗浄方向を有する。従って、メイン、サブ回転ブラシ２０、３０を移動する場合、メイン、サブ刷毛２１、３１により左右にブラシ洗浄、移動過程における前後ブラシ洗浄を行うことができ、洗浄したい領域に対する洗浄効果を素早くかつ簡単に達成することができる。
【００１２】
中国特許第ＣＮ１９６４６４６Ｂには、左右と前後ブラシ洗浄が開示されているが、本考案に係るメイン、サブ刷毛２１、３１では、中国特許第ＣＮ１９６４６４６Ｂのような１８０度以内でのみ左右にブラシ洗浄する刷毛ではなく、連続的にブラシ洗浄が行われているものであり、又、その１８０度内の刷毛は、回転運動から往復運動に変換されたためである。従来技術である中国特許第ＣＮ１０４８３９９９８Ｂ号としては、その対向回転のブラシヘッドは、それぞれ単一方向の回転方向であり、前後または上下移動する場合、対向回転のブラシヘッド箇所には、単一の回転方向のブラシ洗浄効果だけがあり、左右にブラシ洗浄の効果はない。
【００１３】
本考案に係る方向変換機構によれば、同軸に設けられたメイン、サブ刷毛２１、３１は、異なる回転方向を持つ効果を奏することができる。この実施例において、本考案に係る方向変換機構は、アウター、インナーギア２３、３３が方向変換ギア１３と噛合される手法を採用しているが、方向変換機構には様々な方法があり、同軸かつ異なる回転方向を持つ方向変換機構であれば、本考案に係る請求の範囲に含まれる。
【００１４】
上記のように、これらの実施の形態は本考案の好ましい実施例の説明のみであり、本考案の特許請求の範囲に基づいてなされる等価の変更や修飾を行うことができる。従って、この技術分野において通常知識を有する者が行った明らかな変更や修飾は、依然として本考案において主張された請求の範囲に入るものである。
【００１５】
以上のように、本考案では、貫通した伝動軸が設けられ、一端にソケットが設けられた固定ベースと、該ソケット内に収容されかつ該ソケット内に回転可能であり、一端には、メイン刷毛が設けられ、他端には、該ソケットに嵌合されかつ該伝動軸と接合され、該伝動に応じて回動可能である芯軸が設けられたメイン回転ブラシと、を備え、該ソケット内には、該メイン回転ブラシと同軸になるように、該メイン回転ブラシが穿通する貫通孔が設けられている環状となるサブ回転ブラシがさらに収容されており、該サブ回転ブラシの一端には、サブ刷毛が設けられ、該サブ回転ブラシの他端には、該ソケット内に嵌合された凸縁が設けられており、該ソケットと該メイン、サブ回転ブラシとの間には、該伝動軸の回動時に、該メイン、サブ回転ブラシの回転方向をそれぞれ異ならせる方向変換機構がさらに設けられていることを特徴とする異なる回転方向を持つブラシヘッドとするものである。
【００１６】
また、該方向変換機構は、該ソケット内には少なくとも１つの方向変換ギアが設けられ、該メイン回転ブラシの芯軸端にはアウターギアが設けられ、該サブ回転ブラシの凸縁にはインナーギアが設けられ、該アウター、インナーギアは該方向変換ギアと互いに噛合されるものとする。
【００１７】
また、該ソケット内の相対位置には対となる２つの方向変換ギアが設けられているものとする。
【産業上の利用可能性】
【００１８】
本考案に係る異なる回転方向を持つブラシヘッドによれば、下記の効果を奏することができる。
１、本考案に係るブラシヘッドは、その異なる回転方向であるメイン、サブ回転ブラシがブラシ洗浄箇所に対して連続的に左右にブラシ洗浄する効果を奏することができ、洗浄効果は優れている。
２、本考案に係るブラシヘッドは、異なる回転方向を持つメイン、サブ回転ブラシを同一の伝動軸に設けれているため、その構造が簡単、組み立てが容易、及び低コストである。
【符号の説明】
【００１９】
１０  固定ベース
１１  伝動軸
１２  ソケット
１３  方向変換ギア
２０  メイン回転ブラシ
２１  メイン刷毛
２２  芯軸
２３  アウターギア
３０  サブ回転ブラシ
３１  サブ刷毛
３２  凸縁
３３  インナーギア
３４  貫通孔
【図１】
0003217057.tif 000003
【図２】
0003217057.tif 000004